(57)【特許請求の範囲】
【請求項１】
表層が表皮又は膜の少なくとも一方で覆われた水分を含有する繊維構造体に、波長が２μｍ以上かつ１１μｍ以下、若しくは水への吸収係数が１ｍｍ−１以上のレーザビームを照射し、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設させることにより、点、又は直線、又は曲線、又はそれらを組合せた模様を付与することを特徴とする繊維構造体の加工方法。
【請求項２】
表層が表皮又は膜の少なくとも一方で覆われた水分を含有する繊維構造体に、波長が２．６μｍ以上かつ３．５μｍ以下、又は５．６μｍ以上かつ６．８μｍ以下、又は８．８μｍ以上かつ１０．９μｍ以下のいずれか、若しくは水への吸収係数が１００ｍｍ−１以上のレーザビームを照射し、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設させることにより、点、又は直線、又は曲線、又はそれらを組合せた模様を付与することを特徴とする繊維構造体の加工方法。
【請求項３】
表層が表皮又は膜の少なくとも一方で覆われた水分を含有する繊維構造体であって、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設されてなる、点、又は直線、又は曲線、又はそれらを組合せた模様を有することを特徴とする繊維構造体。
【請求項４】
前記染料、又は顔料、又は薬剤は、蛍光、又は発光、又は燐光の少なくともいずれか１つを発するものであることを特徴とする請求項３記載の繊維構造体。
【請求項５】
前記点、又は直線、又は曲線、又はそれらを組合せた模様は、単色もしくは複数の色の組み合わせからなることを特徴とする請求項３又は４に記載の繊維構造体。
【請求項６】
前記点、又は直線、又は曲線、又はそれらを組合せた模様は、単一の波長もしくは複数の異なる波長の光を発することを特徴とする請求項３ないし５のいずれかに記載の繊維構造体。
【請求項７】
前記点、又は直線、又は曲線、又はそれらを組合せた模様は、情報格納機能を有することを特徴とする請求項３ないし６のいずれかに記載の繊維構造体。
【請求項８】
請求項３ないし７のいずれかに記載の繊維構造体を少なくとも一部に備えたことを特徴とする物品。
【請求項９】
請求項３ないし７のいずれかに記載の前記繊維構造体と、少なくとも前記点、又は直線、又は曲線、又はそれらを組合せた模様を照射する光源とを備えてなることを特徴とする物品。
【請求項１０】
需要者の要請に応じて前記点、又は直線、又は曲線、又はそれらを組合せた模様を形成し、直接又は間接的に前記需要者に譲り渡すことを特徴とする請求項３ないし７のいずれかに記載の繊維構造体の使用方法。
【請求項１１】
前記情報格納機能に格納された情報を用いて、前記繊維構造体の管理を行うことを特徴とする請求項７記載の繊維構造体の使用方法。
【発明の詳細な説明】
【技術分野】
【０００１】
本発明は、植物の葉や食品などの繊維構造体に、レーザ光によりマーキング加工する技術に関する。
【背景技術】
【０００２】
近年、安定した市場規模を維持しているギフト市場において、例えば観賞用植物自体に名前やメッセージを印字し、高級感や独自性といった付加価値を高めたものがある。
【０００３】
観賞用植物の葉や花弁にメッセージ等を表現する方法としては、例えばインクジェットプリンタ等を使って印字する方法、レーザ加工による方法が提案されており、特許文献１には、レーザ加工による線文字を花に刻設することが記載されている。
【０００４】
また、繊維構造体にレーザ加工を施す技術としては特許文献２、特許文献３があり、特許文献２には、食品、医薬品等のトレーサビリティを管理するために、レーザビームにより、画像やコード、文字をマーキングする技術が記載されている。
【０００５】
特許文献３には、魚介類といった生鮮食料品に賞味期限や産地表示などの情報のマーキングをレーザ光により直接行う印字装置および印字方法が記載されている。
【０００６】
観賞用植物の観賞価値を高める技術としては、特許文献４、特許文献５があり、特許文献４には、生育中の植物の葉や花弁の表面等に蛍光成分を塗布した蛍光染色植物およびこの植物に紫外光を照射して可視光を発光させる装飾方法が記載されている。
【０００７】
特許文献５には、水及び水性混合溶媒に可溶な蛍光物質が吸収された栽培中の植物と、この植物に対して紫外線を照射可能な光源と、この植物を見る者に対し紫外線を遮断する手段を備えた、植物発光装置が記載されている。
【先行技術文献】
【特許文献】
【０００８】
【特許文献１】特開２００８−３５８３２号公報
【特許文献２】特許５２７４１４１号公報
【特許文献３】特許国際公開２００９−１１９０６１号公報
【特許文献４】特開２００５−２３８８０９号公報
【特許文献５】特許４７４７０００号公報
【発明の概要】
【発明が解決しようとする課題】
【０００９】
インクジェットプリンタを使った印字方法は、繊維構造体として栽培中の植物を想定した場合、植物への水やりや太陽光の照射によって、インク落ちやインク成分の劣化が発生し、印字内容が見え難くなるという問題がある。
【００１０】
また、特許文献１には、レーザ加工により、花弁に文字を刻設するとの記載はあるものの、実施のための具体的な技術に関する開示は全くなされていない。特に花弁や葉といった肉薄の繊維構造体に関しては、使用するレーザ光の波長やその他の照射条件等を詳細に設定する必要がある。すなわち、照射条件を調整しない場合は、レーザビームを照射された繊維構造体は、表面から内部にかけて高熱が発生するために細胞が焦げて茶色に変色し、繊維構造体自体に損傷が生じ、植物全体に対しても損傷を与える可能性が高いという問題がある。
【００１１】
特許文献２及び特許文献３に記載されている技術は、食品等のトレーサビリティ管理を主たる目的としているために、食品自体のダメージを極力小さくし、かつ大量の食品へのマーキングを自動化するものである。当然に、観賞上の付加価値を与えるという技術思想は皆無であるから、表面のマーキング痕は、白く変色した状態か、あるいは周囲の色と多少違う程度の変色状態のままである。すなわち、仮に、観賞用植物にこれらの技術を適用しようとしても、マーキングされた名前やメッセージ、模様をかろうじて認識することはできるであろうが、メッセージの視認性を高める、贈答品としてのインパクトを期待することはできないという問題がある。
【００１２】
特許文献４に記載されている技術は、植物の葉や花弁、茎全体に蛍光成分を塗布しているのみであることから、文字や模様を施し、メッセージ性を高めるという技術思想はない。    
また、植物への水やりや植物の生長に伴い、蛍光成分は剥げ落ち、長期間安定して装飾効果を持続させることができないという問題がある。
【００１３】
特許文献５に記載されている技術も、特許文献４に記載の技術と同様に、栽培中に長期間安定して装飾効果を持続させることができず、文字や模様を施してメッセージ性を高めるという技術思想はない。
【００１４】
本発明は、上記問題点を解消し、長期間持続可能で、視認性向上や観賞上の付加価値などを有する文字や模様を施した繊維構造体およびその加工方法を提供するものである。
【課題を解決するための手段】
【００１５】
本発明はかかる課題を解決するために、特定の波長を有する、もしくは水に対する特定の吸収係数を有するレーザビームを照射し、例えば植物の葉のような、表層近傍が表皮又は膜の少なくとも一方で覆われた、水分を含有する繊維構造体の水分を部分的に蒸散させて凹状の露出部を形成することにより、文字や模様を施し、さらに染料や顔料、薬剤等、またはこれらのいずれかを含む媒体を露出部に含浸、又は付着、又は埋設させる、すなわち、繊維構造体の表層近傍の各細胞内の水分を選択的に蒸散させて、細胞壁や細胞を構成する繊維状部をある程度残存させ、残存した繊維状部の各繊維に媒体を含浸、又は付着、又は埋設させる、あるいは、染料、顔料、薬剤等を繊維に絡みつくように付着又は埋設させることにより、長期にわたって染料、顔料、薬剤等が残存し、視認性や鑑賞価値を高めるものである。
【００１６】
なお、繊維構造体の表層近傍の水分を、繊維状部に必要以上に大きな影響を及ぼすことなく蒸散させるためには、水に対する特定の吸収係数を有する、又は特定の波長を有するレーザ、例えば波長が２．９４μｍであるＥｒ：ＹＡＧレーザを用いる。これは、水に光が吸収される係数が大きく、レーザビームが照射された繊維構造体の表層もしくは表層近傍にある水分にだけ反応し、瞬時に水を蒸散させることができるからである。この特徴を利用し、植物の葉のような、表層近傍が表皮、又は膜の少なくとも一方で覆われた水分を含有する繊維構造体に選択的にレーザビームを照射することで、水が蒸散すると同時に表皮や膜が切除され、意図した場所に繊維状部を露出させることができる。
【００１７】
本発明は、この露出させた繊維状部により、点や直線、曲線を構成し、文字や図形、画像等の模様を形成するとともに、露出した繊維状部に、例えば蛍光剤や絵
具などの粉末や固形物、又はこれらを溶かした液状やペースト状の媒体を含浸、又は付着、又は埋設させることで、文字や図形等を明瞭化し、必要に応じて発光、発色させて、視認性を高め、その状態を長期間持続させるものである。
【００１８】
本発明によれば、表層が表皮又は膜の少なくとも一方で覆われた水分を含有する繊維構造体に、波長が２μｍ以上かつ１１μｍ以下、若しくは水への吸収係数が１ｍｍ−１以上のレーザビームを照射し、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設させることにより、点、又は直線、又は曲線、又はそれらを組合せた模様を付与することを特徴とする、繊維構造体の加工方法が得られる。
【００１９】
本発明によれば、表層が表皮又は膜の少なくとも一方で覆われた水分を含有する繊維構造体に、波長が２．６μｍ以上かつ３．５μｍ以下、又は５．６μｍ以上かつ６．８μｍ以下、又は８．８μｍ以上かつ１０．９μｍ以下のいずれか、若しくは水への吸収係数が１００ｍｍ−１以上のレーザビームを照射し、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設させることにより、点、又は直線、又は曲線、又はそれらを組合せた模様を付与することを特徴とする、繊維構造体の加工方法が得られる。
【００２０】
本発明によれば、表層が表皮又は膜の少なくとも一方で覆われた水分を含有する繊維構造体であって、前記繊維構造体の少なくとも一部の水分を蒸散させて繊維状部を露出させた露出部に、染料、又は顔料、又は薬剤、又は食品、又は食品添加物の少なくとも一つを含浸、又は付着、又は埋設されてなる、点、又は直線、又は曲線、又はそれらを組合せた模様を有することを特徴とする繊維構造体が得られる。
【００２１】
本発明によれば、前記の染料、又は顔料、又は薬剤は、蛍光、又は発光、又は燐光の少なくともいずれか１つを発するものであることを特徴とする繊維構造体が得られる。
【００２２】
本発明によれば、前記の点、又は直線、又は曲線、又はそれらを組み合わせた模様は、単色もしくは複数の色の組み合わせからなることを特徴とする繊維構造体が得られる。
【００２３】
本発明によれば、前記の点、又は直線、又は曲線、又はそれらを組み合わせた模様は、単一の波長もしくは複数の異なる波長の光を発することを特徴とする繊維構造体が得られる。
【００２４】
本発明によれば、前記の点、又は直線、又は曲線、又はそれらを組み合わせた模様は、情報格納機能を有することを特徴とする繊維構造体が得られる。
【００２５】
本発明によれば、前記繊維構造体を少なくとも一部に備えた物品が得られる。
【００２６】
本発明によれば、前記繊維構造体と、少なくとも前記の点、又は直線、又は曲線、又はそれらを組み合わせた模様を照射する光源とを備えてなる物品が得られる。
【００２７】
本発明によれば、需要者の要請に応じて前記の点、又は直線、又は曲線、又はそれらを組み合わせた模様を形成し、直接又は間接的に前記需要者に譲り渡すことを特徴とする繊維構造体の使用方法が得られる。
【００２８】
本発明によれば、前記情報格納機能に格納された情報を用いて、前記繊維構造体の管理を行うことを特徴とする繊維構造体の使用方法が得られる。
【発明の効果】
【００２９】
本発明により、長期間にわたって視認性向上や観賞上の付加価値などを有する文字や図形、画像等を施した繊維構造体およびその加工方法の提供が可能となる。
【図面の簡単な説明】
【００３０】
【図１】レーザ波長と水に対する吸収スペクトルの関係を示す図である。
【図２】本発明の実施の形態を示す植物の葉の断面模式図で、レーザビーム照射後を示す。
【図３】本発明の他の実施の形態を示す植物の葉の断面模式図で、レーザビーム照射後を示す。
【図４】本発明の実施の形態を示す植物の葉の断面模式図で、媒体付着後を示す。
【図５】本発明の他の実施の形態を示す植物の葉の断面模式図で、媒体付着後を示す。
【図６】本発明の実施例を示す植物の葉を拡大鏡で観察した画像で、（ａ）はレーザビーム照射後を、（ｂ）は蛍光剤含浸後を示す。
【図７】本発明の実施例を示す画像で、（ａ）は植物の葉に太陽光を照射した状態を、（ｂ）は植物の葉に紫外線を照射した状態を示す。
【図８】本発明の実施例を説明する図である。
【発明を実施するための形態】
【００３１】
以下、本発明を実施の形態を用いて詳細説明する。
【００３２】
図１はレーザ波長と水に対する吸収スペクトルの関係を示す図である。縦軸は水に対する吸収係数（ｍｍ−１）を示し、横軸はレーザ波長（μｍ）を示す。
【００３３】
本発明者等は、レーザビームにおける水に対する吸収係数に着目し、種々の実験を行った結果、繊維構造体の表層部の水分を選択的かつ効率良く蒸散させ、繊維状部を残存させるためには、水に対する吸収係数が１ｍｍ−１以上であるレーザを用いればよいことを見出した。
【００３４】
図１によれば、この条件を満たすのは、波長が２μｍ以上かつ１１μｍ以下のレーザであり、具体的には、２．６μｍ以上かつ３．５μｍ以下、又は、５．６μｍ以上かつ６．８μｍ以下、又は、８．８μｍ以上かつ１０．９μｍ以下のいずれかを満たすレーザを用いるのが好ましい。
【００３５】
なお、実験によれば、水に対する吸収係数が１００ｍｍ−１（１０００ｃｍ−１）以上であるレーザを用いるのがより好ましく、具体的には、波長が２．９４μｍ、又は６．１μｍ、又は１０．６μｍのレーザを用いるのがより好ましい。
【００３６】
すなわち、水に対する吸収係数が最大となる波長２．９４μｍのＥｒ：ＹＡＧレーザを用いるのがもっとも好ましい。
【００３７】
図２は本発明の実施の形態を示す植物の葉の断面模式図で、レーザビーム照射後を示す。
図３は本発明の他の実施の形態を示す植物の葉の断面模式図で、レーザビーム照射後を示す。
【００３８】
葉のおもて面の表層には表皮細胞１があり、表皮細胞１は細胞壁２で仕切られている。その下層に葉緑体３が存在し、うら面には気孔４が存在する。なお、葉緑体３は、葉緑体および葉緑体を含む組織を示す。
【００３９】
上述した所定の波長を有するレーザビームをおもて面の表皮細胞１に照射すると、表皮細胞１に含有される水分に反応し、瞬時に水が蒸散すると同時に、レーザビームが照射された表皮細胞１の表層部分が切除され、残った細胞壁２が繊維状部５となって露出する。この時、図３に示すように、表皮細胞１に近い葉緑体３も切除される場合があるが、葉の表面積に比し極微量で、かつ葉の厚み方向にも葉緑体３が充分に残存するため、生体機能への影響を最小限にすることができる。
【００４０】
なお、繊維構造体として、植物の葉を例示したが、表層近傍が表皮、又は膜の少なくとも一方で覆われた水分を含有する繊維状部を有するものであればいずれでもよい。すなわち、例えば、植物の茎、葉、花弁、果実等の植物の一部又は植物全体、肉類、魚類、昆布等の海産物、乾燥食品、加工食品、細胞シートや人工臓器等の医療用ポリマー・工業用膜・各種吸水ポリマー等の医療用・工業用・生活用品等に用いられる各種膜といった天然又は人工的な繊維構造体が含まれる。
【００４１】
図４は本発明の実施の形態を示す植物の葉の断面模式図で、媒体付着後を示す。
図５は本発明の他の実施の形態を示す植物の葉の断面模式図で、媒体付着後を示す。
【００４２】
表皮細胞１もしくは表皮細胞１とこれに隣接する葉緑体３のごく一部に形成された露出部たる繊維状部５に、染料や顔料、薬剤を、例えば水のような溶媒に溶かした媒体、すなわち、本実施の形態では液体状の蛍光剤６を、繊維状部５を構成する繊維に付着させ、露出した凹状の繊維状部５のみに蛍光部を形成している。
【００４３】
なお、例えば可溶性の媒体は、繊維状部に含浸されて繊維状部を構成する繊維を染色し、ペースト状の媒体は、繊維状部を構成する繊維に絡みついて付着又は埋設される。
さらに、例えば粉末状の染料や顔料、薬剤等であれば、媒体を介さずに直接、繊維状部に付着または埋設される。
【００４４】
繊維状部に含浸、付着、又は埋設させる物質は、例えば、蛍光増白剤、ローダミン誘導体、フルオレッセインなどの染料や蛍光塗料、蛍光絵具、蓄光塗料といった顔料、ジアミノスチルベンジスルホン酸、アルミン酸ストロンチウムといった薬剤であって、蛍光、発光、燐光を発するものであればいずれでもよく、必要に応じて用いる溶媒は、対象となる繊維構造体への影響を考慮すると水を用いるのが好ましいが、対象物に悪影響を与えるものでなければよく、アルコール、油脂、グリセリン等のいずれでもよい。
【００４５】
なお、繊維構造体の表面近傍、すなわち表層の一部分を消失又は破壊して水分を蒸散させ、繊維状部を露出させる手段として、上述したようにレーザを用いるのが水分を瞬時に蒸散させる上でもっとも好ましいが、結果的にこれと同様な状態に繊維状部を露出することができるのであれば、例えば超音波、熱線、光、金属、プラスチック等を用いたカッター、薬剤塗布・洗浄等の手段を用いてもよい。
【実施例】
【００４６】
（実施例１）
図６は本発明の実施例を示す植物の葉を拡大鏡で観察した画像で、（ａ）はレーザビーム照射後を、（ｂ）は、蛍光剤含浸後を示す。
【００４７】
繊維構造体として、ポトスの葉を用意し、波長２．９４μｍのＥｒ：ＹＡＧレーザを用いて、レーザビームを照射した。周辺部分を拡大鏡で観察したところ、レーザビームが照射された部分だけ、繊維状部５が露出した。
【００４８】
続いて、凹状に露出した繊維状部５に、蛍光剤として、蛍光増白剤を水に溶かした液体を用い、１分間含浸した。波長が３６５ｎｍの紫外線ライトを照射し、繊維状部５を観察したところ、発光が確認された。拡大鏡で詳細観察し、繊維状部５に蛍光剤６が定着していることが確認された。
【００４９】
（実施例２）
図７は、本発明の実施例を示す画像で、（ａ）は植物の葉に太陽光を照射した状態を、（ｂ）は植物の葉に紫外線を照射した状態を示す。
【００５０】
繊維構造体として、鉢植えされたポトスを用意し、葉の一部に波長２．９４μｍのＥｒ：ＹＡＧレーザを用いて、「Ｈｅｌｌｏ！」という文字を形成するようにレーザビームを照射し、レーザマーキング加工を行った。「Ｈｅｌｌｏ！」の文字は、点、直線、曲線を組合せて形成した。
【００５１】
続いて、蛍光剤として、蛍光増白剤を水に溶かした液体を、綿棒を使って繊維状部５に塗布・含浸させ、乾燥後、葉全体を水洗いし、繊維状部５以外に付着した蛍光剤を除去した。太陽光下で、目視確認したところ、図７（ａ）に示すようにマーキング加工部分７の存在を確認することはできたが、判別は困難であり、目立たなかった。
【００５２】
次に、波長が３６５ｎｍの紫外線ライトを照射し、同様に目視確認した。図７（ｂ）に示すように、マーキング加工部分７は、「Ｈｅｌｌｏ！」と発光し、極めて明瞭に見えることを確認した。
【００５３】
（実施例３）
図８は、本発明の実施例を説明する図である。
【００５４】
繊維構造体として、鉢植えされた胡蝶蘭の葉８を用意し、これに実施例２と同様に、葉の一部に波長２．９４μｍのＥｒ：ＹＡＧレーザを用いて、「Ｔｈａｎｋ  ｙｏｕ！」の文字を形成した。
【００５５】
蛍光剤として、蛍光絵具を水に溶かした液体を、綿棒を使って繊維状部に塗布・付着させ、乾燥後、繊維状部以外に付着した蛍光剤を、水で濡らした布を使い、拭き取り除去した。
【００５６】
続いて、波長が３８５ｎｍの紫外線ライトを有する光源１０を備えたワイヤ形状の照明部材９を用意して鉢の用土に挿入し、光源１０が、少なくとも葉８に形成した文字を含む照射範囲１１を照らすように光源１０の高さ、角度を調整し、物品たる観賞用植物鉢１００とした。これを暗い空間に設置して、紫外線ランプを点灯したところ、「Ｔｈａｎｋ  ｙｏｕ！」の文字が明瞭に浮かび上がった。なお、照明部材９は、図示しない電源および開閉器を備えている。
【００５７】
照明部材は、少なくとも、文字、図形、画像等を形成した部分を含む領域を照射することできるものであれば、いかなる形状であってもよく、いかなる材質からなるものでもよいが、鉢植えの用土に差し込むように先端が尖った形状や、クリップのような、植物本体や鉢等への簡易接続部材を備えたものがより好ましい。さらには、照射領域を任意に変更できる構成又は構造を有するものが好ましい。
【００５８】
電源は、公知の手段から適宜選択すればよいが、電池交換式がより好ましい。また、周囲の明度を感知して自動点灯消灯するセンサ部を備えたものも省エネルギー等の観点から好ましい。
【００５９】
光源は、ＬＥＤ、ＬＤ、紫外線、蛍光管等を用いた照明、文字、図形、画像等に施した染料、顔料、薬剤等の特性に合わせたもの、すなわち、蛍光、発光、又は燐光の発生を促すものを適宜選択して用いるのが好ましい。
【００６０】
なお、上記実施例では、繊維構造体に露出形成した繊維状部からなる文字や図形、画像等に１種類の蛍光剤を含浸させ、紫外線ライトで発光させた繊維構造体およびそれを備えた物品を例示したが、繊維状部の異なる領域毎に異なる染料、顔料又は薬剤を施すことにより、複数の色の組み合わせからなる文字や図形、画像等、複数の異なる波長の光を発する文字や図形、画像等、又はこれらを組み合わせた文字や図形、画像等を形成してもよい。
【００６１】
また、必ずしも蛍光、発光、又は燐光を発する染料、顔料又は薬剤を用いる必要はなく、自然光すなわち太陽光や蛍光灯によって視認性を有するものを用いてもよい。
【００６２】
上記実施例では、点、又は直線、又は曲線、又はそれらを組み合わせた模様として文字を例示したが、図形や画像、バーコード等もこれに含まれる。例えば、１次元バーコードや２次元バーコードといった情報格納機能を付与することにより、公知の情報管理手段を用いた、物品管理を行うのはより好ましい。
【００６３】
すなわち、携帯通信端末機器等で２次元バーコードを撮影し、生産者情報や物品の詳細情報を表示させて消費者の利便性を高める、又は、専用の読み取り装置を用いて、物品の情報を、電気通信回線を経由してサーバ等に蓄積し、商品流通管理を行うこと等に利用することは、より好ましい。
【００６４】
（実施例４）
繊維構造体として、昆布を用意し、波長２．９４μｍのＥｒ：ＹＡＧレーザを用いて、「祝喜寿」という文字を形成した。
【００６５】
食品として小麦粉、香辛料、うまみ調味料を、食品添加物として赤色を発色させる天然着色料を用意して水に溶かして媒体とし、「祝喜寿」の文字形成部分に塗布、乾燥させて文字の視認性を向上させた。
【００６６】
文字によるメッセージ性、独自性の付与のみならず、食品たる繊維構造体に香辛料による香りの付加およびうまみ調味料によるうまみ成分の浸透を可能とし、付加価値を向上させることができた。
【００６７】
以上、実施例を用いて詳述したように、本発明による繊維構造体およびこれを備えた物品は、繊維構造体に施した点、又は直線、又は曲線、又はそれらを組合せた模様等、すなわち文言、メッセージ、図形、画像、情報等により、独自性を伴う付加価値をより高めることができる。
【００６８】
従って、これらの文言、メッセージ、図形、画像、情報等を、需要者の要求に応じて、都度、繊維構造体に施して、これを需要者に直接又は他の小売業者等を経由して譲り渡す、繊維構造体の使用は好ましい。
【００６９】
さらに、需要者の要求は、小売店の店頭もしくは、電気通信回線等を用いて受付け、本発明による加工を施して需要者に譲り渡すのはより好ましい。
【００７０】
以上、本発明の実施の形態および実施例を説明したが、本発明は、上記に限定されるものではなく、本発明の要旨を逸脱しない範囲で、構成の変更や修正が可能である。
【符号の説明】
【００７１】
１      表皮細胞
２      細胞壁
３      葉緑体
４      気孔
５      繊維状部
６      蛍光剤
７      マーキング加工部分
８      葉
９      照明部材
１０    光源
１１    照射範囲
１００  観賞用植物鉢
【図１】
0006287925.tif 000002
【図２】
0006287925.tif 000003
【図３】
0006287925.tif 000004
【図４】
0006287925.tif 000005
【図５】
0006287925.tif 000006
【図６】
0006287925.tif 000007
【図７】
0006287925.tif 000008
【図８】
0006287925.tif 000009